(57)【要約】【課題】  携帯機器を構成する第１筐体と第２筐体との間隔を可及的に狭くすることができるスライド機構用付勢部材を提供する。【解決手段】  携帯機器を構成すると共に互いにスライド可能に連結された第１筐体及び第２筐体のいずれか一方の筐体に一端部が連結されると共に、他端部が第１筐体及び第２筐体のいずれか他方の筐体に連結されて第１筐体に対して第２筐体を所定の開閉位置から閉成方向又は開成方向にスライド付勢する付勢部材である。この付勢部材が、１本の線材を第１筐体又は第２筐体の幅方向に折り曲げてこの幅方向の付勢力を強くした扁平状スプリングであることにより、前記課題を解決した。【選択図】        図１
2008017133.tif 000002
【特許請求の範囲】
【請求項１】
携帯機器を構成すると共に互いにスライド可能に連結された第１筐体及び第２筐体のいずれか一方の筐体に一端部が連結されると共に、他端部が前記第１筐体及び前記第２筐体のいずれか他方の筐体に連結されて前記第１筐体に対して前記第２筐体を所定の開閉位置から閉成方向又は開成方向にスライド付勢する付勢部材であって、
この付勢部材が、１本の線材を前記第１筐体又は前記第２筐体の幅方向に折り曲げてこの幅方向の付勢力を強くした扁平状スプリングであることを特徴とする、スライド機構用付勢部材。
【請求項２】
前記扁平状スプリングが、湾曲部と直線部とが交互に規則正しく配列されてなることを特徴とする、請求項１に記載のスライド機構用付勢部材。
【請求項３】
前記湾曲部が、長さが円周の半分より長い円弧状に形成されていることを特徴とする、請求項２に記載のスライド機構用付勢部材。
【請求項４】
前記請求項１〜３のいずれか１項に記載のスライド機構用付勢部材を備えたことを特徴とする、携帯機器のスライド機構。
【請求項５】
前記請求項１〜３のいずれか１項に記載のスライド機構用付勢部材を備えたことを特徴とする、携帯電話機。
【発明の詳細な説明】
【技術分野】
【０００１】
本発明は、携帯機器を構成する第１筐体と第２筐体とを互いに重ね合わせた状態で相対的に直線方向に開閉可能にスライドさせる際に用いられて好適なスライド機構用付勢部材、そのスライド機構用付勢部材を備えた携帯機器のスライド機構及び携帯機器に関するものである。
【背景技術】
【０００２】
携帯機器である携帯電話機等において、キーボード等を上面に設けた第１筐体と、ディスプレイ等を上面に設けた第２筐体とを有し、これらの第１筐体と第２筐体とが重なり合って第２筐体で第１筐体の上面を覆う閉成状態と、第２筐体を第１筐体に対して長手方向へスライドさせて第１筐体の上面を露出させる開成状態とを作り出す、スライド機構付きのものが市場に出回っている。このような携帯機器としては、下記する特許文献１に記載されたものが公知である。
【０００３】
また、このスライド機構は、半自動でスライド操作を行えるセミオート機能を有している。すなわち、セミオート機構は、互いにその長手方向にスライド可能に連結された第１筐体に対して第２筐体を所定の位置から閉成方向又は開成方向へ付勢させる付勢部材を設けることにより、第２筐体が第１筐体に対する所定の位置から閉成方向又は開成方向へ付勢されるので、第１筐体と第２筐体とが所定の位置から自動的に開閉できるものである。
【特許文献１】特開２００５−２９５０２４号公報
【発明の開示】
【発明が解決しようとする課題】
【０００４】
この特許文献１に記載されたスライド機構に設けられている付勢部材としては、途中に巻回したコイル部を有する略へ字状に形成されたものが用いられている。この付勢部材は、応力の問題からコイル部が必要であった。ところで、近年、携帯機器、例えば、携帯電話機等は、多機能化と共に薄型化が図られており、できるだけ薄型化を図りたいが、付勢部材にはコイル部が必要であり、最低でもコイル部の厚さ、すなわち、最低でも線径の倍の厚みが必要であるので、付勢部材の厚さをこれ以上薄くすることができず、第１筐体と第２筐体との間隔をこれ以上狭くすることができなかった。
【０００５】
本発明は、前記課題を解決するためになされたものであって、その目的は、携帯機器を構成する第１筐体と第２筐体との間隔を可及的に狭くすることができるスライド機構用付勢部材、この付勢部材を備えた携帯機器のスライド機構及び携帯機器を提供することにある。
【課題を解決するための手段】
【０００６】
前記の目的を達成するための本発明に係るスライド機構用付勢部材は、携帯機器を構成すると共に互いにスライド可能に連結された第１筐体及び第２筐体のいずれか一方の筐体に一端部が連結されると共に、他端部が前記第１筐体及び前記第２筐体のいずれか他方の筐体に連結されて前記第１筐体に対して前記第２筐体を所定の開閉位置から閉成方向又は開成方向にスライド付勢する付勢部材であって、この付勢部材が、１本の線材を前記第１筐体又は前記第２筐体の幅方向に折り曲げてこの幅方向の付勢力を強くした扁平状スプリングであることを特徴とする。
【０００７】
この発明によれば、付勢部材が、１本の線材を第１筐体又は第２筐体の幅方向に折り曲げてこの幅方向の付勢力を強くした扁平状スプリングであるために、扁平状スプリングの厚さは１本の線材の厚さであるので、線材を巻回したコイル部より薄くすることができる。従って、携帯機器を構成する第１筐体と第２筐体との間隔を可及的に狭くすることができるので、携帯機器の全体的な厚さを薄くすることができ、薄型化を図れる。
【０００８】
本発明に係るスライド機構用付勢部材において、前記扁平状スプリングが、湾曲部と直線部とが交互に規則正しく配列されてなることが好ましい。また、本発明に係るスライド機構用付勢部材において、前記湾曲部が、長さが円周の半分より長い円弧状に形成されていることが好ましい。
【０００９】
また、本発明に係る携帯機器のスライド機構は、前記の本発明に係るスライド機構用付勢部材を備えたことを特徴とする。この発明によれば、前述と同様に、付勢部材が、１本の線材を第１筐体又は第２筐体の幅方向に折り曲げてこの幅方向の付勢力を強くした扁平状スプリングであるために、携帯機器を構成する第１筐体と第２筐体との間隔を可及的に狭くすることができるので、全体的な厚さを薄くすることができ、薄型化を図れる。
【００１０】
また、本発明に係る携帯機器のスライド機構は、携帯機器を構成する第１筐体と第２筐体とを互いに重ね合わせた状態で相対的に直線方向へ開閉可能にスライドさせるスライド機構であって、前記第１筐体及び前記第２筐体のいずれか一方の筐体に取り付けられるベース部材と、このベース部材に対しスライド可能に係合され、前記第１筐体及び前記第２筐体のいずれか他方の筐体に取り付けられるスライダーと、このスライダーと前記ベース部材との間に設けられ、一端部が前記ベース部材に連結されると共に他端部が前記スライダーに連結されて前記ベース部材に対して前記スライダーを所定の開閉位置から閉成方向又は開成方向にスライド付勢する付勢部材とからなり、この付勢部材が、１本の線材を前記第１筐体又は前記第２筐体の幅方向に折り曲げてこの幅方向の付勢力を強くした扁平状スプリングであることが好ましい。また、本発明に係る携帯機器のスライド機構において、前記扁平状スプリングが、湾曲部と直線部とが交互に規則正しく配列されてなることが好ましい。また、本発明に係る携帯機器のスライド機構において、前記湾曲部が、長さが円周の半分より長い円弧状に形成されていることが好ましい。
【００１１】
また、本発明に係る携帯電話機は、前記の本発明に係るスライド機構用付勢部材を備えたことを特徴とする。この発明によれば、前述と同様に、付勢部材が、１本の線材を第１筐体又は第２筐体の幅方向に折り曲げてこの幅方向の付勢力を強くした扁平状スプリングであるために、携帯機器を構成する第１筐体と第２筐体との間隔を可及的に狭くすることができるので、全体的な厚さを薄くすることができ、薄型化を図れる。
【発明の効果】
【００１２】
以上説明したように本発明に係るスライド機構用付勢部材、携帯機器のスライド機構及び携帯電話機によれば、付勢部材が、１本の線材を第１筐体又は第２筐体の幅方向に折り曲げてこの幅方向の付勢力を強くした扁平状スプリングであるために、携帯機器を構成する第１筐体と第２筐体との間隔を可及的に狭くすることができるので、携帯機器の全体的な厚さを薄くすることができ、薄型化を図れる。
【発明を実施するための最良の形態】
【００１３】
以下、本発明に係るスライド機構用付勢部材、携帯機器のスライド機構及び携帯機器の一例を添付図面に基づいて詳述する。
【００１４】
図１は本発明に係るスライド機構用付勢部材の一例を示す図である。図２は本発明に係る携帯機器のスライド機構の一例を示す図である。本発明に係るスライド機構用付勢部材は、図１〜図３に示すように、携帯機器１０を構成すると共に互いにスライド可能に連結された第１筐体１１及び第２筐体１２のいずれか一方の筐体に一端部が連結されると共に、他端部が第１筐体１１及び第２筐体１２のいずれか他方の筐体に連結されて第１筐体１１に対して第２筐体１２を所定の開閉位置から閉成方向又は開成方向にスライド付勢するものである。この本発明に係るスライド機構用付勢部材は、１本の線材を第１筐体１１又は第２筐体１２の幅方向に折り曲げてこの幅方向の付勢力を強くした扁平状スプリング４であることに特徴がある。
【００１５】
この本発明に係るスライド機構用付勢部材である扁平状スプリング４は、両端部が第１筐体１１と第２筐体１２とに直接連結されてなるものでもよいが、スライド機構１に設けて、この本発明に係るスライド機構１を介して第１筐体１１と第２筐体１２とをスライド可能に連結することが好ましい。すなわち、本発明に係る携帯機器のスライド機構１は、携帯機器１０を構成する第１筐体１１と第２筐体１２とを互いに重ね合わせた状態で相対的に直線方向へ開閉可能にスライドさせるものであって、第１筐体１１及び第２筐体１２のいずれか一方の筐体、例えば、第１筐体１１に取り付けられるベース部材２と、このベース部材２に対しスライド可能に係合され、第１筐体１１及び第２筐体１２のいずれか他方の筐体、例えば、第２筐体１２に取り付けられるスライダー３と、このスライダー３とベース部材２との間に設けられ、一端部がベース部材２に連結されると共に他端部がスライダー３に連結されてベース部材２に対してスライダー３を所定の開閉位置から閉成方向又は開成方向にスライド付勢する付勢部材とからなり、この付勢部材が、１本の線材を第１筐体１１又は第２筐体１２の幅方向に折り曲げてこの幅方向の付勢力を強くした扁平状スプリング４であることが好ましい。
【００１６】
携帯機器１０としては、特に限定されず、例えば、携帯電話機、ＰＤＡ、ノート型のパソコン、ザウルス（商標）等の携帯端末機、電卓、ポケットコンピュータ、携帯ゲーム機等が挙げられる。なお、本発明において携帯機器としては、その他、灰皿、ケース蓋等も含まれる。すなわち、２つの筐体を互いにスライドさせるものであれば特に限定されない。また、本実施の形態では、携帯機器としては、特に限定することなく説明する。
【００１７】
第１筐体１１は、例えば、キーボード（図示せず）等を上面に有している。第２筐体１２は、例えば、ＬＣＤなどのディスプレイ等を上面に有している。第１筐体１１及び第２筐体１２は、略同じ略矩形状にそれぞれ形成されている。なお、第１筐体１１及び第２筐体１２は、図１において想像線で記載してある。これらの第１筐体１１と第２筐体１２とが互いに重ね合わされた閉成状態でスライド機構１を介して連結されて携帯機器１０が構成されている。すなわち、この携帯機器１０は、第１筐体１１の上面に第２筐体１２の下面が互いに重ね合わされてキーボード等を閉塞すると共に、第１筐体１１の上面から第２筐体１２がスライド移動してキーボード等を露出させることができるようになっている。
【００１８】
ベース部材２は、第１筐体１１の上面の上方に例えばビス等により取り付けられる。ベース部材２は、例えば、図１、図２及び図４に示すように、第１筐体１１の幅方向に長い細長の略矩形状に形成されている基部２１と、基部２１の両側部に設けられたスライド凹部２２とから構成されている。スライド凹部２２は、別部材を取り付けて形成してもよいし、図示するように基部２１の両側部をコ字状に折り曲げて基部２１と一体的に形成してもよい。ベース部材２は、例えばステンレス製の金属プレートをプレス加工することによりそれぞれ形成される。
【００１９】
基部２１の幅は、第１筐体１１の幅より小さい、例えば、若干小さな寸法で形成されている。基部２１には、扁平状スプリング４の一端部を取り付けるスイングピン１５を取り付けるための第１ピン取付孔２３が１つ設けられている。スイングピン１５は、図７に示すように、第１ピン取付孔２３に挿入される挿入部１５ａと、挿入部１５ａより拡径されたスイング部１５ｂと、スイング部１５ｂより拡径された頭部１５ｃとからなる。また、基部２１の両側部近傍には、図２及び図４に示すように、ベース部材２を例えばビス等により第１筐体１１に取り付けるための固定部２４が６つ設けられている。
【００２０】
また、スライド凹部２２には、スライダー３とのスライドが円滑に行われるようにスライド案内部材２５が設けられていることが好ましい。このスライド案内部材２５は、特に限定されないが、例えば、摩擦係数が小さい樹脂等で、図６に示すように、略凹状に形成されていることが好ましい。スライド案内部材２５の長さは、ベース部材２の上下方向（幅方向と直交する方向）の長さと略同じ寸法で形成されていることが好ましい。
【００２１】
スライダー３は、第２の筐体１２の下面の上方近傍から下方近傍にかけて例えばビス等により取り付けられる。スライダー３は、例えば、図１、図２及び図５に示すように、第２筐体１２の幅方向に長い略矩形状に形成されている基部３１と、基部３１の両側部に設けられ、ベース部材２のスライド凹部２２（実質的にはスライド案内部材２５）にスライド係合するスライド係合部３２とから構成されている。スライド係合部３２は、特にその形状は限定されないが、例えば、基部３１の両側部を略クランク状に折り曲げて形成してもよい。スライダー３は、例えばステンレス製の金属プレートをプレス加工することにより形成される。
【００２２】
スライダー３のスライド係合部３２の先端部間の長さは、ベース部材２に設けられているスライド案内部材２５の内面間の長さより若干小さな寸法で形成されていることが好ましい。スライダー３の基部３１の両側部には、スライダー３を第２筐体１２に取り付けるための固定孔３３が例えば８つ設けられている。これら固定孔３３に、例えばビス（図示せず）を用いて締めることによってスライダー３が第２筐体１２に取り付けられる。
【００２３】
スライダー３のスライド係合部３２がベース部材２のスライド凹部２２（スライド案内部材２５）とそれぞれスライド係合して、ベース部材２及びスライダー３（第１筐体１１及び第２筐体１２）が互いに直線上にスライドするようになっている。これらベース部材２とスライダー３とがスライド係合することにより、ベース部材２とスライダー３とが略細長の矩形筒状に形成される。
【００２４】
スライド係合部３２がスライド凹部２２（スライド案内部材２５）に係合されている状態、すなわち、ベース部材２及びスライダー３がスライド係合している状態で、ベース部材２に対するスライダー３の移動範囲が規制されるように、スライド係合部３２や第１筐体１１、第２筐体１２にストッパー（図示せず）等を設けるようにしてもよい。これにより、第１筐体１１及び第２筐体１２が閉成状態から開成状態までの間でスライド移動するようになっており、この閉成状態と開成状態との間の中間の状態が中立状態である（図１（ｂ）参照。）。
【００２５】
また、基部３１の中央部付近であって、スライダー３とベース部材２が中立状態のときに第１筐体１１又は第２筐体１２の幅方向に延び、第１ピン取付孔２３を含む直線上に、扁平状スプリング４の他端部を取り付けるスイングピン１５を取り付けるための第２ピン取付孔３４が設けられている。なお、中立状態のときに第１筐体１１又は第２筐体１２の幅方向に延びる直線上に第１ピン取付孔２３と第２ピン取付孔３４とを配置したが、これに限定されるものではなく、中立状態のときに第１ピン取付孔２３と第２ピン取付孔３４とが第１筐体１１又は第２筐体１２の幅方向に延びる直線上に位置されていなくてもよい。
【００２６】
スライド付勢手段は、図１〜図３に示すように、ベース部材２とスライダー３とを互いに所定の開閉位置、例えば、中立状態から開成方向又は閉成方向にスライド付勢するものであり、ベース部材２とスライダー３との間に設けられている。このスライド付勢手段は、１本の線材を第１筐体１１又は第２筐体１２の幅方向に折り曲げてこの幅方向の付勢力を強くした扁平状スプリング４である。
【００２７】
扁平状スプリング４は、第１筐体１１又は第２筐体１２の幅方向に幅広に形成されてこの幅方向の付勢力を強くすることができれば、特に限定されず、例えば、１本の線材を折り曲げて湾曲部４１と直線部４２とが交互に規則正しく配列されてなるもの等が好ましい。線材の断面形状は、特に限定されず、例えば、断面円形、断面正方形、断面矩形、断面楕円形等の形状が挙げられる。
【００２８】
湾曲部４１は、円弧状に形成されていることが好ましい。この湾曲部４１の径は特に限定されない。また、湾曲部４１の長さは、特に限定されず、円周の半分より短い寸法でも長い寸法でもよいが、円周の半分より長い寸法であることが好ましい。湾曲部４１の個数は、特に限定されず、例えば、６である。これら湾曲部４１が例えば直線部４２によって連結されている。直線部４２の長さは、特に限定されず、例えば、湾曲部４１の直径より短い寸法で形成されていることが好ましい。また、直線部４２は、略同一直線上に位置されることが好ましい。
【００２９】
扁平状スプリング４は、具体的には例えば、開口部が同一方向に向くように配置された６つの湾曲部４１と、これら湾曲部４１を連結すると共に略同一直線上に位置された５つの直線部４２とからなるように、一本の線材を折り曲げて付勢力が直線状に作用するように形成されていることが好ましい。この扁平状スプリング４の両端部には、スイングピン１５のスイング部１５ｂに回動可能に装着される装着部４３がそれぞれ設けられている。これら装着部４３は、直線部４２を含む直線の湾曲部４１とは反対側に位置されていることが好ましい。また、装着部４３は、例えば、線材を略円形状に折り曲げて形成されている。
【００３０】
扁平状スプリング４の長さは、閉成状態にあるベース部材２に取り付けられたスイングピン１５とスライダー３に取り付けられたスイングピン１５との間の長さを超えた寸法で形成されていることが好ましい。この扁平状スプリング４は、たわむときに湾曲部４１が外側に位置されるようにベース部材２に取り付けられたスイングピン１５とスライダー３に取り付けられたスイングピン１５とに取り付けられていることが好ましい。これにより、扁平状スプリング４は、閉成状態及び開成状態のときには付勢力に抗して略円弧状にたわむ（図１（ａ）及び（ｃ）参照。）と共に、中立状態のときには略円形状、略楕円形状、略長円形状等のようにさらに付勢力に抗して曲る（図１（ｂ）参照。）ようになっている。
【００３１】
次に本発明に係るスライド機構用付勢部材、スライド機構１及び携帯機器１０の作用を説明する。
【００３２】
携帯機器１０が使用されていない状態では、図１（ａ）に示すように、第１筐体１１と第２筐体１２とが互いに重なり合った閉成状態である。このとき、扁平状スプリング４は、図１（ａ）及び図２（ｃ）に示すように、その付勢力に抗して円弧状にたわんでいるために、その付勢力によってベース部材２とスライダー３とが閉成方向にスライド付勢されているので、第１筐体１１と第２筐体１２とが閉成状態に保持されている。なお、この閉成状態をより確実に維持するために、ロック機構を設けるようにしてもよい。
【００３３】
この携帯機器１０を使用する場合には、例えば、第１筐体１１を固定した状態で第２筐体１２を開成方向にスライドさせる。すると、扁平状スプリング４の両端部間の長さが短くなる、すなわち、スライドさせるときの力が扁平状スプリング４の両端部を介して扁平状スプリング４に作用して荷重を受けてその付勢力に抗して扁平状スプリング４がさらに曲がる。
【００３４】
そして、図１（ｂ）に示すように、扁平状スプリング４の両端部間の長さが最小になる、すなわち、扁平状スプリング４の両端部が第１筐体１１又は第２筐体１２の幅方向に延びる直線上に位置されると、扁平状スプリング４は最小に湾曲する。この状態が中立状態であり、この中立状態を過ぎると、扁平状スプリング４の両端部の位置が入れ替わると共に付勢力により扁平状スプリング４が元の形状に戻ろうとする。すなわち、扁平状スプリング４の両端部が互いに離間する方向に付勢されるので、第１筐体１１と第２筐体１２とが互いに開成方向に自動的にスライド移動して、図１（ｃ）に示すように、第１筐体１１と第２筐体１２とが開成状態になり、その状態に保持される。これにより、第１筐体１１の上面に設けたキーボードが露出するので、キーボード操作等が可能となり、携帯機器１０を使用し得る開成状態になる。なお、この開成状態をより確実に維持するために、ロック機構を設けるようにしてもよい。よって、閉成状態から開成状態にスライド移動させるときに半自動でスライド動作を行えることになる。
【００３５】
第２筐体１２を元の位置に戻すには、例えば、第１筐体１１を固定した状態で第２筐体１２を閉成方向にスライドさせる。すると、扁平状スプリング４の両端部間の長さが短くなり、中立状態を過ぎると、扁平状スプリング４の両端部が互いに離間する方向に付勢されるので、第１筐体１１と第２筐体１２とが互いに閉成方向に自動的にスライド移動して、図１（ａ）に示すように、第１筐体１１と第２筐体１２とが閉成状態に保持される。よって、開成状態から閉成状態にスライド移動させるときに半自動でスライド動作を行えることになる。
【００３６】
扁平状スプリング４は、１本の線材を第１筐体１１又は第２筐体１２の幅方向に折り曲げてこの幅方向の付勢力を強くしたので、携帯機器１０を構成する第１筐体１１と第２筐体１２との間隔を可及的に狭くすることができる。すなわち、従来の付勢部材のように、付勢部材の途中に巻回したコイル部があると、その付勢部材の厚さは、コイル部により決まるために、最低でも線材の直径の倍の厚みとなる。これに対して、本発明に係る扁平状スプリング４は、１本の線材を第１筐体１１又は第２筐体１２の幅方向に折り曲げて形成されている。これは、ベース部材２に対してスライダー３をスライドさせたときに第１筐体１１又は第２筐体１２の幅方向に付勢力に抗して扁平状スプリング４がたわんでこの付勢力によりベース部材２に対してスライダー３を中立状態から閉成方向又は開成方向にスライド付勢するものであるために、扁平状スプリング４の付勢力は、幅方向に形成した湾曲部４１と直線部４２との形状で決まる。つまり、扁平状スプリング４の付勢力は、厚みではなく幅に関係するので、その付勢力を強くする場合には幅が広がるだけで、厚さは１本の線材の直径でよい。また、扁平状スプリング４は、湾曲部４１と直線部４２とが連続して形成されているために、応力の集中を分散させることができ、湾曲部４１が１つの場合に比して付勢力を強くすることができる。
【００３７】
したがって、扁平状スプリング４の厚さは１本の線材の直径となるために、扁平状スプリング４の厚さを薄くすることができるので、携帯機器１０を構成する第１筐体１１と第２筐体１２との間隔を可及的に狭くすることができる。その結果、携帯機器１０の全体的な厚さを薄くすることができ、薄型化を図れる。
【００３８】
また、扁平状スプリング４は、湾曲部４１と直線部４２とで形成されていることにより、その湾曲部４１等の形状や幅を変えたりすることで、扁平状スプリング４の付勢力を調節することができる。また、扁平状スプリング４は、湾曲部４１が例えば６つ設けられていると共に、湾曲部４１が扁平状スプリング４がたわむときに外側に位置されるように配置されていることにより、湾曲部４１の数を増減したり湾曲部４１の位置をかえたり湾曲部４１の径を変えたりすることで、扁平状スプリング４の付勢力を調節することができる。
【産業上の利用可能性】
【００３９】
以上説明したように本発明に係るスライド機構用付勢部材は、付勢部材が、１本の線材を第１筐体又は第２筐体の幅方向に折り曲げてこの幅方向の付勢力を強くした扁平状スプリングであるので、携帯機器を構成する第１筐体と第２筐体との間隔を可及的に狭くすることができることから、携帯機器の全体的な厚さを薄くすることができ、薄型化を図れることから、携帯機器のスライド機構、携帯端末の中でもとくに携帯電話機等として好適に用いられるものである。
【図面の簡単な説明】
【００４０】
【図１】本発明に係る携帯機器の一例を示す平面図で、（ａ）は閉成状態を示す図、（ｂ）は中立状態を示す図、（ｃ）は開成状態を示す図である。
【図２】本発明に係る携帯機器のスライド機構の一例を示す図で、（ａ）は平面図、（ｂ）は側面図、（ｃ）は底面図、（ｄ）は（ｃ）における正面図である。
【図３】本発明に係るスライド機構用付勢部材の一例を示す図で、（ａ）は平面図、（ｂ）は正面図である。
【図４】本発明に係るベース部材の一例を示す図で、（ａ）は側面図、（ｂ）は平面図、（ｃ）は裏面図、（ｄ）は正面図である。
【図５】本発明に係るスライダーの一例を示す図で、（ａ）は平面図、（ｂ）は側面図、（ｃ）は裏面図、（ｄ）は正面図である。
【図６】本発明に係るスライド案内部材の一例を示す図で、（ａ）は正面図、（ｂ）は側面図、（ｃ）は正面図である。ある。
【図７】本発明に係るスイングピンの一例を示す正面図である。
【符号の説明】
【００４１】
１  スライド機構
２  ベース部材
３  スライダー
４  扁平状スプリング（付勢部材）
１０  携帯機器
１１  第１筐体
１２  第２筐体
４１  湾曲部
４２  直線部
【図１】
2008017133.tif 000003
【図２】
2008017133.tif 000004
【図３】
2008017133.tif 000005
【図４】
2008017133.tif 000006
【図５】
2008017133.tif 000007
【図６】
2008017133.tif 000008
【図７】
2008017133.tif 000009